(57)【要約】【課題】    開放感を得られて、外観品質を低下させることなく、良好な状態で保持出来る格子部材及び該格子部材を用いた格子構造を提供する。【解決手段】  断面中空菱形の長尺形状を呈して、長尺方向の端部の内側部に、長手方向から挿通されるネジ１９を躯着させる固定ネジ受け部１８ｃ，１８ｃを有する格子部材１８である。  内側部に、固定ネジ受け部１８ｃ，１８ｃを形成する鈍角角部１８ｅ，１８ｅの外側面側には、長尺方向に沿って凹設される溝部３１，３１が形成されている。  格子部材１８の正面を鈍角角部１８ｅとすると共に、左，右両鋭角角部１８ｆ，１８ｆ同士を隣接させて、一定の間隔を置いて並設することにより、各格子部材１８，１８間にスリット３０，３０が形成される。【選択図】図１
2005213863.tif 000002
【特許請求の範囲】
【請求項１】
断面中空菱形の長尺形状を呈して、菱形の鈍角部の外側面側には、長尺方向に沿って凹
設される溝部が形成されていることを特徴とする格子部材。
【請求項２】
長尺方向の端部の内側部に、長手方向から挿通される固定部材を躯着させる被固定部を
有する請求項１記載の格子部材。
【請求項３】
前記格子部材の正面を鈍角角部とすると共に、左，右両角部に位置する鋭角角部同士を
隣接させて、一定の間隔を置いて並設することにより、該各格子部材間にスリットを形成
することを特徴とする請求項１又は２記載の格子部材を用いた格子構造。
【発明の詳細な説明】
【技術分野】
【０００１】
この発明は、屋外に設置される手摺りや、窓の目隠しとして用いられる格子部材及び該
格子部材を用いた格子構造に関するものである。
【背景技術】
【０００２】
従来、図１２及び図１３に示すような手摺りに用いる格子構造が、知られている（例え
ば、特許文献１等参照）。
【０００３】
まず、構成から説明すると、この従来の格子構造では、建物のベランダ等の床部１の側
縁１ａに沿って、複数本の柱材３，３によって、下方から笠木２が、略水平となるように
支持されて設けられている。
【０００４】
これらの柱材３，３間には、図１３に示すような複数の格子部材４…が、長手方向を水
平方向に沿わせて、上下方向に並設されている。
【０００５】
この格子部材４には、幅方向中央の板材４ａの両側部を、段差部４ｃ，４ｃを介して一
定の角度で、屈曲することにより、両側屈曲片部４ｂ，４ｂが一体に設けられている。
【０００６】
これらの両側屈曲片部４ｂ，４ｂには、装着に用いる丸孔４ｅ，４ｅが形成された角パ
イプ状の縁枠部４ｄ，４ｄが設けられている。
【０００７】
次に、この従来の格子部材４を用いた格子構造の作用について説明する。
【０００８】
このように構成された従来の格子構造では、前記中央の板材４ａに対して、前記両側屈
曲片部４ｂ，４ｂが、一定の異なる角度で装着されるので、光線の方向によって、色彩等
の外観に変化を与えることが出来る。
【０００９】
しかも、前記中央の板材４ａに対して、前記両側屈曲片部４ｂ，４ｂが、一定の異なる
角度で、一体に屈曲されているので、平坦な板材のみで構成される場合に比して、強度を
大きく設定することができる。
【特許文献１】特開平１１−３５０６９３号公報（図３，図４、明細書段落０００８乃至００３６）
【発明の開示】
【発明が解決しようとする課題】
【００１０】
しかしながら、このような従来の格子構造では、隣接配置される他の格子部材４の縁枠
部４ｄと上下方向で、重複されて装着されると、この格子の反対側に位置する景観が、視
認出来ない。
【００１１】
このため、開放感が不足してしまう虞があった。
【００１２】
また、前記格子部材４の板材４ａと、前記両側屈曲片部４ｂ，４ｂとの間の段差部４ｃ
，４ｃ及び、角パイプ状の縁枠部４ｄ，４ｄの基端部周縁は、埃が溜まりやすく、清掃が
しにくい形状を呈している。
【００１３】
このため、屋外で使用していると、前記埃に起因する汚れによって、外観品質が低下し
てしまう虞もあった。
【００１４】
そこで、この発明は、開放感を得られて、外観品質を低下させることなく、良好な状態
で保持出来る格子部材及び該格子部材を用いた格子構造を提供することを課題としている
。
【課題を解決するための手段】
【００１５】
上記目的を達成するために、本願発明の請求項１記載のものは、断面中空菱形の長尺形
状を呈して、菱形の鈍角部の外側面側には、長尺方向に沿って凹設される溝部が形成され
ている格子部材を特徴としている。
【００１６】
また、請求項２に記載されたものは、長尺方向の端部の内側部に、長手方向から挿通さ
れる固定部材を躯着させる被固定部を有する請求項１記載の格子部材を特徴としている。
【００１７】
そして、請求項３に記載されたものは、前記格子部材の正面を鈍角角部とすると共に、
左，右両角部に位置する鋭角角部同士を隣接させて、一定の間隔を置いて並設することに
より、該各格子部材間にスリットを形成する請求項１又は２記載の格子部材を用いた格子
構造を特徴としている。
【発明の効果】
【００１８】
このように構成された請求項１記載のものは、長尺方向に沿って凹設される溝部が、菱
形の鈍角部の外側面側に、形成されている。
【００１９】
また、該溝部を、該格子部材の正面に向けて装着した場合には、ストライプとして外観
上のアクセントとなり、更に、外観品質を良好なものとすることが出来る。
【００２０】
更に、該溝部を装着時に取付固定用の外側の被固定部として用いることも出来る。
【００２１】
そして、例えば、前記内側部に前記被固定部を形成する角部の外側面側に、該溝部を位
置させれば、該格子部材を、例えば、樹脂製原材料から射出成型等、成型手段により成型
した場合に、前記被固定部の裏面側に、ヒケを発生させる虞を減少させることが出来る。
【００２２】
また、請求項２に記載されたものは、前記被固定部が、長尺方向の端部の内側部に、設
けられているので、断面中空菱形を呈する該格子部材の外側面の突起等を無くすことが出
来る。
【００２３】
このため、埃が溜まり難く、清掃もしやすいので、屋外の長時間の使用によっても、良
好な外観品質を保持出来る。
【００２４】
また、該格子部材が、断面中空菱形を呈しているので、容易に所望の強度を得ることが
出来る。
【００２５】
そして、前記被固定部が、該各格子部材の長尺方向の端部の内側部に、設けられている
ので、該被固定部及び該被固定部に用いられる固定部材が、外部から視認しにくい位置に
設けられる。
【００２６】
このため、更に、外観品質を良好なものとすることが出来る。
【００２７】
更に、請求項３に記載されたものは、前記複数の格子部材が、一定の間隔を置かれて並
設されると、該各格子部材間にスリットが形成される。
【００２８】
このため、該格子の反対側に位置する景観が、視認出来、開放感を与えることが出来る
。
【００２９】
更に、前記角部の左，右の側面で、装着される角度が相違するので、光線の方向によっ
て、色彩等の外観に変化を与えることが出来る。
【００３０】
例えば、太陽光を受ける側面が、明るく、他の側面が暗くなり、陰影のある外観を容易
に得ることが出来る。
【００３１】
また、例えば、手摺り本体に照明装置を用いた手摺りに、格子として用いることにより
、該両側面に照光される照明光を拡散させて、照度の均一性を向上させることが出来る。
【発明を実施するための最良の形態】
【００３２】
次に、図面に基づいて、この発明を実施するための最良の実施の形態の格子部材及び該
格子部材を用いた格子構造を説明する。
【００３３】
なお、前記従来例と同一乃至均等な部分については同一符号を付して説明する。
【００３４】
図１乃至図１１は、この発明の最良の実施の形態の格子部材及び該格子部材を用いた格
子構造を説明するものである。
【００３５】
まず、この実施の形態の構成を説明すると、この発明の実施の形態では、屋外の階段や
、バルコニー或いはベランダ等の床部１の側縁１ａに沿って、略水平に設けられる手摺り
本体１１を有する手摺り部材１０に、本願の格子部材からなる格子構造が、適用されてい
るものである。
【００３６】
この手摺り部材１０では、複数本の柱材３，３によって、下方から支持される手摺り本
体１１が、中空形状を呈して、手摺り本体上部カバー部材１２及び手摺り本体下部１３に
、上，下に２分割されて、主に構成されている。
【００３７】
このうち、前記手摺り本体上部カバー部材１２は、図２に示すように、上面部が、床部
１方向に内側傾斜させる曲面形状を呈して、人が掴まった際の、触感が良好なものとなる
ように構成されている。
【００３８】
また、前記手摺り本体下部１３は、上面側を開放する断面略受け皿状を呈して、底面部
１３ａの下面側には、一定間隔を置いて複数本の柱材３，３の上端面３ａ，３ａが、各々
当接されると共に、複数の支柱固定ネジ１４…によって固定されて、下方からこれらの柱
材３，３によって支持されている。
【００３９】
これらの柱材３，３の裏面３ｂ側には、パネル状に形成される面格子部材１５が設けら
れている。
【００４０】
この面格子部材１５は、主に、水平方向に延設されて、前記柱材３，３に、固定具１６
ａ及び１７ａを介して固定される面格子上枠部材１６及び面格子下枠部材１７と、鉛直方
向に沿って複数本、一定間隔を置いて並設されて、これらの面格子上枠部材１６及び面格
子下枠部材１７間を連結するように設けられる断面中空菱形の長尺形状を呈する格子部材
１８…とによって、主に構成されている。
【００４１】
このうち、前記面格子上枠部材１６には、図１又は図６に示すように、前記格子部材１
８…の各上端部１８ａ…が、直接、固定部材としてのネジ１９…等によって、固定される
格子固定桟部材１６ｃが設けられている。
【００４２】
また、前記格子下枠部材１７は、下方を開放する断面略コ字状を呈して形成されていて
、この格子下枠部材１７の上面部１７ｂには、前記格子部材１８…の各下端部１８ｂ…が
、直接、固定部材としてのネジ１９…等によって、固定されている。
【００４３】
この格子部材１８は、前記バルコニーに装着された際、床部１側の正面及び裏面を鈍角
角部１８ｅ，１８ｅとすると共に、左，右両角部に位置する角部を鋭角角部１８ｆ，１８
ｆとするように構成されている。
【００４４】
この実施の形態では、図７に示すように、前記格子部材１８の鈍角角部１８ｅ，１８ｅ
に、所定の角度θ１（θ１＝約１０８度）が設定されると共に、左，右両角部に位置する
鋭角角部１８ｆ，１８ｆに、所定の角度θ２（θ２＝約７２度）が、設定されていて、隣
接形成される各側面部１８ｇ，１８ｇ間が、所定の異なった角度で、装着されるように構
成されている。
【００４５】
また、この格子部材１８には、前記長手方向から挿通されるネジ１９…を躯着させる被
固定部としての固定ネジ受け部１８ｃ，１８ｃが、図７に示すように、前記鈍角角部１８
ｅ，１８ｅの内側部に、一体に形成されている。
【００４６】
この一対の固定ネジ受け部１８ｃ，１８ｃには、対向側側面に、切り欠き溝部１８ｈ，
１８ｈが形成されていると共に、図１０及び図１１に示すように、前記格子部材１８の長
手方向の略全長に渡って、略同一の略Ｃ字型断面形状を呈して延設されている。
【００４７】
そして、長手方向である上下方向から、前記面格子上枠部材１６の格子固定桟部材１６
ｃ及び面格子下枠部材１７を介して挿通される前記ネジ１９，１９のネジ山が、これらの
固定ネジ受け部１８ｃ，１８ｃの内側面に螺着されることにより、各格子部材１８…を前
記格子固定桟部材１６ｃ及び面格子下枠部材１７に、正面を前記鈍角角部１８ｅとすると
共に、左，右両角部に位置する鋭角角部１８ｆ，１８ｆとして並設固定するように構成さ
れている。
【００４８】
更に、この実施の形態では、左，右両角部に位置する鋭角角部１８ｆ，１８ｆ同士が、
隣接されて、一定の間隔を置いて並設されることにより、これらの各格子部材１８，１８
間に、間隙からなるスリット３０…が各々形成されている。
【００４９】
そして、この実施の形態では、前記格子部材１８の内側部に前記固定ネジ受け部１８ｃ
，１８ｃが、形成される鈍角角部１８ｅ，１８ｅの外側面側には、長尺方向に沿って凹設
されて、溝部３１，３１が形成されている。
【００５０】
更に、前記格子固定桟部材１６ｃの上部には、上枠本体１６ｄが設けられている。
【００５１】
この上枠本体１６ｄには、前記格子固定桟部材１６ｃを、長手方向に沿って、スライド
挿入させて嵌着させる受けレール部１６ｂが、下面側に形成されている。
【００５２】
そして、前記手摺り本体１１では、前記手摺り本体下部１３に対して、前記手摺り本体
上部カバー部材１２が、蝶番部２０を介して、開閉可能に係着されている。
【００５３】
また、前記手摺り本体下部１３の表面側側縁に沿って、係止部２２の一方を構成するフ
ック受けフランジ部２２ａが一体に形成されている。
【００５４】
そして、このフック受けフランジ部２２ａの前端縁に係止されるように、前記手摺り本
体上部カバー部材１２の表面側側縁に沿って、係止部２２の他方を構成する係止フック部
２２ｂが、一体に形成されている。
【００５５】
更に、前記手摺り本体１１の中空部２１内には、光源としての蛍光灯２４を各々有する
照明装置２３…が、前記手摺り本体下部１３の底面部１３ａに固定されて、複数設けられ
ている。
【００５６】
これらの照明装置２３，２３は、前記柱材３，３間に各々位置するように、設けられて
いる。また、前記手摺り本体下部１３の底面部１３ａには、この蛍光灯２４の照光を下方
に向けて照射する窓部２５が、この蛍光灯２４が固定される位置に対応して開口形成され
ている。
【００５７】
この窓部２５には、前記蛍光灯２４の照光を透過することにより、拡散させる拡散フィ
ルタ部材２６が、設けられていて、蛍光灯２４の照光が下方に向けて照射される際に、拡
散させるように構成されている。
【００５８】
更に、この中空部２１内で、これらの蛍光灯２４，２４間には、人の近接を検知する人
感センサ２７，２７が、各々設けられている。
【００５９】
また、前記手摺り本体下部１３の底面部１３ａには、この人感センサ２７，２７に各々
対応する位置に、センサレンズ２７ａ，２７ａが、一部外部に露出するように装着されて
いる。
【００６０】
そして、これらの照明装置２３，２３及び人感センサ２７，２７は、図示省略の電源等
と接続される電源線２８，及び通信線２９と電気的に接続されていて、屋内の各種スイッ
チのｏｎ，ｏｆｆ動作に応じて、点灯又は消灯及び、前記人感センサ２７，２７による検
知の開始及び終了が制御されるように構成されている。
【００６１】
次に、この実施の形態の格子部材及び該格子部材を用いた格子構造の作用について、説
明する。
【００６２】
このように構成されたこの実施の形態の格子部材及び該格子部材を用いた格子構造では
、前記固定ネジ受け部１８ｃ，１８ｃが、前記格子部材１８の長尺方向の端部の内側部に
、設けられている。
【００６３】
このため、断面中空菱形を呈するこの格子部材１８の外側面に突起等を無くすことが出
来る。
【００６４】
従って、従来の格子部材４に比して、埃が溜まり難く、清掃もしやすいので、屋外の長
時間の使用によっても、良好な外観品質を保持出来る。
【００６５】
また、これらの各格子部材１８，１８が、断面中空菱形を呈しているので、各側面部１
８ｇ，１８ｇ間に位置する各鈍角角部１８ｅ，１８ｅ及び鋭角角部１８ｆ，１８ｆが、面
材の屈曲されて高剛性を有する部分を四隅に分散させて形成される。従って、容易に所望
の強度を得ることが出来る。
【００６６】
そして、長尺方向に沿って凹設される溝部３１，３１が、前記内側部に前記固定ネジ受
け部１８ｃ，１８ｃが形成された鈍角角部１８ｅ，１８ｅの外側面側に、形成されている
。
【００６７】
このため、この格子部材１８，１８が、例えば、樹脂製原材料から射出成型等、成型手
段により成型された場合に、前記固定ネジ受け部１８ｃの裏面側に、ヒケを発生させる虞
を減少させることが出来る。
【００６８】
また、この溝部３１，３１が、この格子部材１８の正面に向けられて、バルコニー等に
装着された場合には、ストライプとして外観上のアクセントとなり、更に、外観品質を良
好なものとすることが出来る。
【００６９】
更に、これらの溝部３１，３１を装着時に取付固定用の外側の被固定部として用いるこ
とも出来る。
【００７０】
また、前記複数の格子部材１８，１８が、一定の間隔を置かれて並設されると、これら
の各格子部材１８，１８間に、スリット３０が形成される。
【００７１】
このため、この面格子部材１５の反対側に位置する景観が、これらのスリット３０…を
介して視認出来、開放感を与えることが出来る。
【００７２】
また、前記固定ネジ受け部１８ｃ，１８ｃが、各格子部材１８の長尺方向の端部の内側
部に、設けられているので、これらの固定ネジ受け部１８ｃ，１８ｃ及びこれらの固定ネ
ジ受け部１８ｃ，１８ｃに各々螺着される前記ネジ１９，１９が、外部から視認しにくい
位置に設けられる。
【００７３】
このため、更に、外観品質を良好なものとすることが出来る。
【００７４】
更に、バルコニーの床部１側から見た場合でも、前記鈍角角部１８ｅの左，右の側面部
１８ｇ，１８ｇで、装着される角度が相違するので、光線の方向によって、色彩等の外観
に変化を与えることが出来る。
【００７５】
例えば、太陽光を受ける側面部１８ｇが、明るく、他の側面部１８ｇが暗くなり、陰影
のある外観を容易に得ることが出来る。
【００７６】
また、例えば、手摺り本体１１に照明装置２３が内蔵された手摺り部材１０に、前記面
格子部材１５として用いることにより、これらの両側面部１８ｇ，１８ｇに照光される照
明光が拡散されて、照度の均一性を向上させることが出来る。
【００７７】
以上、図面を参照して、本発明の実施の形態を詳述してきたが、具体的な構成は、この
実施の形態に限らず、本発明の要旨を逸脱しない程度の設計的変更は、本発明に含まれる
。
【００７８】
即ち、実施の形態の面格子部材１５では、前記格子部材１８…が、鉛直方向に沿って、
複数本、一定間隔を置いて並設されているが、特にこれに限らず、例えば、水平方向に沿
わせて並設したり、或いは、階段の手摺りとして用いる場合には、階段の傾斜に沿わせて
、斜めに並設する等、前記格子部材１８…及び面格子部材１５の形状、数量、及び材質が
特に限定されるものではない。
【図面の簡単な説明】
【００７９】
【図１】この発明の実施の形態の格子部材及び該格子部材を用いた格子構造で、全体の構成を説明する手摺り部材の分解斜視図である。
【図２】実施の形態の格子部材及び該格子部材を用いた格子構造で、全体の構成を説明する手摺り部材の斜視図である。
【図３】実施の形態の格子部材及び該格子部材を用いた格子構造で、全体の構成を説明する手摺り部材の裏面側正面図である。
【図４】実施の形態の格子部材及び該格子部材を用いた格子構造で、全体の構成を説明する手摺り部材の表面側正面図である。
【図５】実施の形態の格子部材及び該格子部材を用いた格子構造で、図４中Ａ−Ａ線に沿った位置での断面図である。
【図６】実施の形態の格子部材及び該格子部材を用いた格子構造で、図４中Ｂ−Ｂ線に沿った位置での断面図である。
【図７】実施の形態の格子部材の水平断面図である。
【図８】実施の形態の格子部材を、図７中Ｃ矢視方向から見た正面図である。
【図９】実施の形態の格子部材を、図７中Ｄ矢視方向から見た側面図である。
【図１０】実施の形態の格子部材で、図７中Ｅ−Ｅ線に沿った位置での断面図である。
【図１１】実施の形態の格子部材で、図７中Ｆ−Ｆ線に沿った位置での断面図である。
【図１２】従来例の格子部材及び該格子部材を用いた格子構造で、全体の構成を説明する手摺り部材の表面側正面図である。
【図１３】従来例の格子部材で、全体の構成を説明する斜視図である。
【符号の説明】
【００８０】
３              柱材
１８            格子部材
１８ｃ，１８ｃ  固定ネジ受け部（被固定部）
１８ｅ，１８ｅ  鈍角角部
１８ｆ，１８ｆ  鋭角角部
１９            ネジ（固定部材）
３０，３０      スリット
３１，３１      溝部
【図１】
2005213863.tif 000003
【図２】
2005213863.tif 000004
【図３】
2005213863.tif 000005
【図４】
2005213863.tif 000006
【図５】
2005213863.tif 000007
【図６】
2005213863.tif 000008
【図７】
2005213863.tif 000009
【図８】
2005213863.tif 000010
【図９】
2005213863.tif 000011
【図１０】
2005213863.tif 000012
【図１１】
2005213863.tif 000013
【図１２】
2005213863.tif 000014
【図１３】
2005213863.tif 000015